(57)【要約】      （修正有）【課題】迅速な溺水者の発見・救護を目的とし、実際の溺水状態を感知するための溺水感知器を提供する。【解決手段】ゴムひも１の両端１ａ、１ｂを水溶性の素材、例えば紙片２で留めておき、この紙片が唾液や水しぶきに濡れないように両端に穴の開いたカプセル３で覆い、このカプセルを口内に含んだうえで輪になったゴムひもを頭に被っておく。溺水時において、口内に流入する多量の水はカプセル内に浸水し、紙片が溶けて破断することにより、ゴムひもが一気に解き放たれることとなるので、このゴムひもに予め浮きを取付けておいて、これを水面に浮上させて周りに知らせることができ、あるいは、このゴムひもの張力有無に反応するように予め膨張式浮揚具を連結しておいて、これを連動させることもできる。【選択図】図３
2020030781.tif 000002
【特許請求の範囲】
【請求項１】
ゴムひも（１）の両端（１ａ）・（１ｂ）を水溶性の素材、例えば紙片（２）で留めておき、この紙片（２）が唾液や水しぶきに濡れないように両端に穴の開いたカプセル（３）で覆い、このカプセル（３）を口内に含んだうえで輪になったゴムひも（１）を頭に被っておけば、溺水時において、口内に流入する多量の水はカプセル（３）内に浸水し、紙片（２）が溶けて破断することにより、ゴムひも（１）が一気に解き放たれることとなるので、このゴムひも（１）に予め浮き（１１）を取付けておいて、これを水面に浮上させて周りに知らせることができ、あるいは、このゴムひも（１）の張力有無に反応するように予め膨張式浮揚具（１２）を連結しておいて、これを連動させることもできるものであり、以上の要素で構成されていることを特徴とする溺水感知器。
【発明の詳細な説明】
【技術分野】
【０００１】    本発明は、水泳や入浴で溺水した人をいち早く発見、もしくは救護する技術に関するものである。
【背景技術】
【０００２】    水感知式や手動レバー式の膨張式救命衣は、水泳や入浴時に使用されることは少ないと思われるが、救命用として広く使用されている。水泳や入浴時の溺水発見・救護の技術として多いのは、水圧センサーを用いたものである。水圧センサーを頭部付近に装着し、予め設定した沈水時間により潜水か溺水かを判別し、電波信号を発したり、身に着けた膨張式浮揚具を連動させるもの等がある。
【先行技術文献】
【特許文献】
【０００３】
【特許文献１】特開２００１−１８４５７４
【特許文献２】特開２０００−１５５８８１
【特許文献３】特開平  ０２−２４１８９０
【特許文献４】ＣＮ−Ａ−１０４８８１９５８
【特許文献５】ＣＮ−Ａ−１０４３４０３４４
【特許文献６】ＵＳ−Ａ１−００６１２９０３６
【発明の概要】
【発明が解決しようとする課題】
【０００４】    水感知式の膨張式救命衣は、着水に反応して作動してしまう。手動レバー式のみの膨張式救命衣は、入水状態で任意に作動させることができるが、溺水時に意識がある状態で的確な操作を必要とする。水圧センサーを用いたものは、実際の溺水状態を感知するものはないので、設定した沈水時間が短いと潜水か溺水かの判別を誤りやすく、また、設定する沈水時間を長くすると溺水時の発見・救護を遅らせることになる。【０００５】    本発明の溺水感知器は、実際の溺水状態を感知しようとするものであり、より迅速な溺水者の発見・救護を目的としたものである。
【課題を解決するための手段】
【０００６】    溺水状態になった者は、意識の有無に関わらず、本能的に口を開け呼吸をしようとする。結果、口内には多量の水が流入するが、本発明の溺水感知器はこの水を感知し、周りに知らせ、救護に繋がるよう構成されている。【０００７】    ゴムひも（１）が、輪になるようにその両端（１ａ）・（１ｂ）を水溶性の素材、例えば紙片（２）を介して留めておき、唾液や水しぶきに濡れないように両端に穴の開いたカプセル（３）で覆ったものであり、このカプセル（３）を口内に含んだ状態で、ゴムひも（１）の輪を頭部に被るようにして装着する。【０００８】    紙片（２）の形状や係止の方法が限定されるものではないが、通常時に輪を拡げても十分に耐えうる強度でありながら、水に浸かると数秒で溶けて破断する程度が良い。カプセル（３）の両端付近には、ゴムひも（１）の通し穴（３ｄ）もしくは空気穴（３ｅ）を配し、溺水時の水の流入に必要な最小限のエア抜きを確保する。唾液は通常口腔内壁に沿って舌部の裏側に位置するが、少量の唾液もしくは水しぶきが侵水し紙片（２）を濡らす危険を減らすべく、カプセル（３）内にコーミング（３ｃ）をたて、二重壁のようにしても良い。また、紙片（２）をセットするためにカプセル（３）は半割式が便利で、内部の状態を確認するべく透明なものが好ましく、使用中に誤飲しないようゴムひも（１）の両端（１ａ）・（１ｂ）どちらかには必ず係止されるようにする。【０００９】    溺水時に口内に流入した多量の水によってカプセル（３）内が浸水し、紙片（２）が溶けて破断することにより、ゴムひも（１）が一気に解き放たれる。
ゴムひも（１）に浮き（１１）を取付けておけば、水面に浮上して周りに知らせることができる。目立つ色が好ましく、使用者の特定情報を記しておけば有効である。ブザー音・電波信号（１１ｂ）を連動させても良い。ゴムひも（１）と身に着けた膨張式浮揚具（１２）を連動させることも有効である。
【発明の効果】
【００１０】    実際の溺水状態を数秒で感知すると同時に、取付けた浮き（１１）の浮揚や膨張式浮揚具（１２）の連動が始まるので、タイムロスが少なく、迅速な溺水者の発見・救護に期待できる。簡素な物で構成されており、安価である。
【図面の簡単な説明】
【００１１】
【図１】  本発明の使用例を示す側面図である。
【図２】  本発明の使用例を示す側面図である。
【図３】  本発明の使用例を示す正面図である。
【図４】  本発明のセット前状態を示す平面図である。
【図５】  本発明のセット前状態を示す側面図である。
【図６】  図４におけるＡ−Ａ線断面図であり、セット状態を示す。
【図７】  本発明のセット前状態を示す平面図である。
【図８】  本発明のセット前状態を示す側面図である。
【図９】  図７におけるＡ−Ａ線断面図であり、セット状態を示す。
【図１０】  本発明のセット前状態を示す平面図である。
【図１１】  本発明のセット前状態を示す側面図である。
【図１２】  図１０におけるＡ−Ａ線断面図であり、セット状態を示す。
【発明を実施するための形態】
【００１２】    図１は本発明の使用例を示す。輪になったゴムひも（１）が口内から後頭部にかけて巻かれており、浮き（１１）が後頭部に位置するように取付けられている。ゴムひも（１）は、浮き（１１）に防水内蔵されたばね接点（１１ａ）を引き離した状態で繋がれており、頭部に巻かれた状態であればその張力を維持できるが、溺水状態になってそれが解き放たれると、たちまちその張力を失い、浮き（１１）が水面に浮上するとともに、ばね接点（１１ａ）が復元され、これに連結された器機により、ブザー音・電波信号（１１ｂ）が発せられる。
【００１３】    図２は本発明の使用例を示す。輪になったゴムひも（１）が口内から後頭部にかけて巻かれており、首元には膨張式浮揚具（１２）が巻かれている。ゴムひも（１）は、膨張式浮揚具（１２）内部の弁（１２ｄ）を引き上げた状態になるよう、ばね（１２ｃ）およびワイヤー（１２ｂ）で繋がれており、これらを包んだゴムチューブ（１２ａ）の先端部にてその接続部が係止されている。頭部に巻かれた状態であればその張力により係止を維持できるが、溺水状態になって輪が解き放たれると、たちまちその張力を失い、ゴムチューブ（１２ａ）内に引き込まれる。それに従って弁（１２ｄ）は開放され、膨張式浮揚具（１２）内に水が流入し、内部の水感知器を作動させることにより、膨張式浮揚具（１２）を連動させる。
【００１４】    図３は本発明の使用例を示す。ゴムひも（１）が輪になるように、その両端（１ａ）・（１ｂ）は紙片（２）を介して留められている。これが、唾液や水しぶきに濡れないように、両端に穴の開いたカプセル（３）で覆ってある。このカプセル（３）を口内に含んだ状態で、ゴムひも（１）の輪を頭部に被るようにして装着する。紙片（２）の形状や係止の方法が限定されるものではないが、以下にその実施例を示す。
【００１５】    図４・５・６は本発明実施の一例を示している。ゴムひも（１）の一端（１ａ）はアイスプライス形状で、半割カプセル（３ａ）の通し穴（３ｄ）に通してある。もう一端（１ｂ）もアイスプライス形状で、半割カプセル（３ｂ）の通し穴（３ｄ）に通してあるが、こちらは、一端（１ｂ）が抜けないようにきつくなっており、その周囲に空気穴（３ｅ）が開けられている。紙片（２）は紙縒りの状態であり、これで、突き合せた両端（１ａ）・（１ｂ）を固く結ぶ。紙縒りは、ごく薄いティッシュペーパーのわずかな切れ端であっても、十分な強度を持つ。半割カプセル（３ａ）はプラスチック成型品、半割カプセル（３ｂ）はシリコンゴム製であり、各々透明度が高く、内側にコーミング（３ｃ）をたててあり、半割カプセル（３ｂ）側のコーミング（３ｃ）はセット状態におけるストッパー役にもなっている。紙片（２）を中央に挟むように、また、半割カプセル（３ｂ）が半割カプセル（３ａ）を呑み込むように、各々を合体させてセット状態とする。
【００１６】    図７・８・９は本発明実施の一例を示している。ゴムひも（１）の一端（１ａ）は突起させてあり、半割カプセル（３ａ）の通し穴（３ｄ）に通してある。もう一端（１ｂ）は半割カプセル（３ｂ）と一体化しており、その連結部の周囲に空気穴（３ｅ）が開けられている。紙片（２）は円盤形状であり、中心部にゴムひも（１）を通す程度の穴を開けてある。この中心穴に、一端（１ａ）の細い先端を突き刺してそのとび出しをつまみ、もう一方の手で突起部の根元付近をつまみ、これを引き伸ばして一時的に突起部を細め、紙片（２）に一端（１ａ）を通す。半割カプセル（３ａ）はプラスチック成型品、半割カプセル（３ｂ）はシリコンゴム製であり、各々透明度が高く、内側にコーミング（３ｃ）をたててあり、半割カプセル（３ｂ）側のコーミング（３ｃ）はセット状態におけるストッパー役にもなっている。紙片（２）を中央に挟むように、また、半割カプセル（３ｂ）が半割カプセル（３ａ）を呑み込むように、各々を合体させてセット状態とする。
【００１７】    図１０・１１・１２は本発明実施の一例を示している。ゴムひも（１）の一端（１ａ）はアイスプライス形状で、半割カプセル（３ａ）の通し穴（３ｄ）に通してある。もう一端（１ｂ）は半割カプセル（３ｂ）と一体化しており、その連結部の周囲に空気穴（３ｅ）が開けられている。紙片（２）は円筒形状であり、一端（１ａ）のアイスプライス内に通しておく。半割カプセル（３ａ）はプラスチック成型品、半割カプセル（３ｂ）はシリコンゴム製であり、各々透明度が高く、内側にコーミング（３ｃ）をたててあり、半割カプセル（３ｂ）側のコーミング（３ｃ）はセット状態におけるストッパー役にもなっている。半割カプセル（３ａ）の割面側端部には、半円形の固定穴（３ｆ）が上下に２か所開けられており、これに紙片（２）をはめ込んだうえで、半割カプセル（３ｂ）が半割カプセル（３ａ）を呑み込むように、各々を合体させ、紙片（２）を中央部に封じ込めてセット状態とする。
【符号の説明】
【００１８】    １      ゴムひも
１ａ    一端
１ｂ    一端
２      紙片
３      カプセル
３ａ    半割カプセル
３ｂ    半割カプセル
３ｃ    コーミング
３ｄ    通し穴
３ｅ    空気穴
３ｆ    固定穴
１１    浮き
１１ａ  ばね接点
１１ｂ  ブザー音・電波信号
１２    膨張式浮揚具
１２ａ  ゴムチューブ
１２ｂ  ワイヤー
１２ｃ  ばね
１２ｄ  弁
【図１】
2020030781.tif 000003
【図２】
2020030781.tif 000004
【図３】
2020030781.tif 000005
【図４】
2020030781.tif 000006
【図５】
2020030781.tif 000007
【図６】
2020030781.tif 000008
【図７】
2020030781.tif 000009
【図８】
2020030781.tif 000010
【図９】
2020030781.tif 000011
【図１０】
2020030781.tif 000012
【図１１】
2020030781.tif 000013
【図１２】
2020030781.tif 000014
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
ゴムひも（１）の両端（１ａ）・（１ｂ）を水溶性の素材、例えば紙片（２）で留めておき、この水溶性の素材が唾液や水しぶきに濡れないように両端に穴の開いたカプセル（３）で覆い、このカプセル（３）を口内に含んだうえで輪になったゴムひも（１）を頭に被っておけば、溺水時において、口内に流入する多量の水はカプセル（３）内に浸水し、水溶性の素材が溶けて破断することにより、ゴムひも（１）が一気に解き放たれることとなるので、このゴムひも（１）に予め浮き（１１）を取付けておいて、これを水面に浮上させて周りに知らせることができ、あるいは、このゴムひも（１）の張力有無に反応するように予め膨張式浮揚具（１２）を連結しておいて、これを連動させることもできるものであり、以上の要素で構成されていることを特徴とする溺水感知器。